(57)【要約】【課題】調光センサを内蔵することにより、プリ発光及び本発光の安定を図り、より質の高い画像を撮影可能とする。【解決手段】カメラ内部にセンサを内蔵し、このセンサによりストロボからの直接光を測光し、プリ発光の補正値を得る。光電変換素子にて得られたプリ発光データと補正値から正確な本発光量を算出する。また本発光の際には発光量の調光制御を行う【選択図】        図１
2006098662.tif 000002
【特許請求の範囲】
【請求項１】
被写体光を受光して画像信号を出力する撮像手段にて、撮影時における本発光前に行われる予備発光時の被写体からの反射光を測光し、前記予備発光時の測光結果に基づいて前記本発光時の発光量を演算する撮像装置において、
前記予備発光および本発光を行う閃光管から照射される光量を直接検知する測光手段と、
前記予備発光時の、前記撮像手段での測光結果と前記測光手段での測光結果を用いて前記本発光時の発光量を演算する発光量演算手段と、を有することを特徴とする撮像装置。
【請求項２】
前記本発光時に前記測光手段の測光結果を用いて前記本発光を停止させる発光制御手段とを有することを特徴とする請求項１に記載の撮像装置。
【請求項３】
前記撮像手段から出力された画像信号を加工して記憶媒体に記憶させる記憶手段を有することを特徴とする請求項１または２に記載の撮像装置。
【請求項４】
前記撮像手段から出力された画像信号を加工して表示手段に被写体画像を表示させる表示制御手段を有することを特徴とする請求項１から３のいずれかに記載の撮像装置。
【請求項５】
前記発光量演算手段は、前記予備発光時の、前記撮像手段での測光結果と前記測光手段での測光結果から、目標とする発光量と実際の発光量の誤差を補償することを特徴とする請求項１から４のいずれかに記載の撮像装置。
【発明の詳細な説明】
【技術分野】
【０００１】
ストロボの発光量を適正に制御するための撮像装置の構成に関する。
【背景技術】
【０００２】
従来の撮像装置では、フラッシュ撮影時には、まず予備発光を行い反射光を測定し、そのデータから適正な本発光量を算出し、本発光を行い画像を得ていた（例えば、特許文献１参照）。
【特許文献１】特開２０００−１１５６３０号公報
【発明の開示】
【発明が解決しようとする課題】
【０００３】
しかし、これでは予備発光に誤差が乗ってしまった場合、本発光にも誤差が乗ってしまい、結果的にフラッシュ撮影時の画像に輝度ばらつきが生じてしまう可能性があった。
【０００４】
そこで今回センサを用いてストロボからの直接光を測定することにより、まず予備発光の安定、そして本発光も調光して安定させることによりフラッシュ画像のばらつきを抑え、画質の向上を図ることを目的とする。
【課題を解決するための手段】
【０００５】
本発明では、被写体光を受光して画像信号を出力する撮像手段にて、撮影時における本発光前に行われる予備発光時の被写体からの反射光を測光し、前記予備発光時の測光結果に基づいて前記本発光時の発光量を演算する撮像装置において、前記予備発光および本発光を行う閃光管から照射される光量を直接検知する測光手段と、前記予備発光時の、前記撮像手段での測光結果と前記測光手段での測光結果を用いて前記本発光時の発光量を演算する発光量演算手段と、前記本発光時に前記測光手段の測光結果を用いて前記本発光を停止させる発光制御手段とを有することを特徴とする。
【発明の効果】
【０００６】
本発明によれば、予備発光時の目標発光量と実際の発光量の誤差を補正して、本発光時の発光量を適切なものとすることができる。
【発明を実施するための最良の形態】
【０００７】
以下本発明を実施するための最良の形態を、実施例により詳しく説明する。
【実施例１】
【０００８】
本発明の実施例１を以下に説明する。
【０００９】
図１は本発明の撮像装置の簡単なブロック図である。
【００１０】
１０１は撮像部であり、レンズ群、絞り、シャッターが含まれ、被写体の像を光電変換素子１０２の表面に結像する。光電変換素子１０２上に結像された像は光電変換されてアナログ信号となり、Ａ／Ｄ変換部１０３へと送られ光電変換素子デジタル信号に変換される。Ａ／Ｄ変換部１０３で作成された光電変換素子デジタル信号からＡＥ（Ａｕｔｏｍａｔｉｃ  Ｅｘｐｏｓｕｒｅ）処理部１０４で被写体の輝度である外光輝度値Ｂｖが求まり、プログラム線図により絞り値Ａｖ、シャッター速度Ｔｖ、感度Ｓｖが求められる。
【００１１】
ここで、Ｂｖ、Ａｖ、ＴｖおよびＳｖには以下（１）式の関係があることが一般的に知られている。
Ｂｖ＝Ａｖ＋Ｔｖ−Ｓｖ  ・・・・・・  （１）
【００１２】
ここで求められたＢｖ、Ａｖ、Ｔｖ、Ｓｖを用い、フラッシュ発光の判定を下す。まずフラッシュを発光させない場合、フラッシュ部１０５を非発光とし、撮像部１０１にてＡＥ時のパラメータで撮影が行われる。次にフラッシュを発光させる場合、フラッシュ部１０５にて予備発光（以下プリ発光と呼ぶ）を行う。ここでそのプリ発光量をセンサ部１０６にて測光する。また、プリ発光による反射データを撮像部１０１に送り、ＣＣＤ１０２〜ＡＥ処理部１０４にて処理する。次に、ＡＥ処理部１０４にて計算された反射データとセンサ部１０６によるプリ発光量測光データから本発光量を算出し、フラッシュ部１０５にて本発光を行う。この本発光と同時にセンサ部１０６にて調光し、フラッシュの発光量がある任意の光量になった時点でフラッシュを停止し、撮像部１０１で本露光を行う。その後ＣＣＤ１０２、Ａ／Ｄ変換部１０３により得られた光電変換素子データは画像処理部１０７へと送られる。さらに出力画像信号はフォーマット変換部１０８にてＪＰＥＧフォーマット等へのフォーマット変換が行われ、画像記録部１０９にて撮像装置内のメモリ、もしくはコンパクトフラッシュ（登録商標）等の外部メモリへと書き込まれる。以上が撮像装置内のデータの簡単な流れである。
【００１３】
次にプリ発光から本発光までの詳細を以下の図２、図３、図４を用いて説明する。
【００１４】
図２にはストロボからの直接光を調光する調光センサ内蔵の撮像装置の簡略図を示す。
【００１５】
まずストロボにてプリ発光を行う。次に、同時にプリ発光の発光量を測光し補正値を演算する。次に、反射光データをＣＣＤ１０２にて検出する。次に、調光センサ１０６とＣＣＤ１０２から正確な本発光量の演算を行う。そして、本発光を行い、同時に調光センサ１０６にて調光し、適正量で発光停止する。
【００１６】
図３には本発光までの詳細な流れをフローチャートにて示し、図４には演算の仕組みを示す。
【００１７】
まず、ステップＳ３０１から始まり、ステップＳ３０２にて撮像処理のための初期設定を行い、ステップＳ３０３にて公知のＡＥ処理を行う。ステップＳ３０３で得られたデータから、ステップＳ３０４にて発光か非発光かの判断を下す。ステップＳ３０５で非発光の場合、ステップＳ３１２の撮像処理に進み、撮影を行う。発光の場合は、ステップＳ３０６にてプリ発光を行う。ここでステップＳ３０７にてストロボからの直接光を測光、補正値演算を行い、ステップＳ３０８ではプリ発光による反射光データを取得する。ステップＳ３０７、Ｓ３０８から得られたデータより、ステップＳ３０９にて本発光量を算出する。ここで本発光量算出の仕組みを述べる。図４のようにプリ発光が目標値と実際値にずれがある場合、（２）式にて補正値αを得る。
【００１８】
2006098662.tif 000003
【００１９】
また以下の（３）式より、プリ発光に対する本発光量の比を得る。
【００２０】
2006098662.tif 000004
【００２１】
これに従い、予備発光時に設定した目標発光量にＭを乗じた値を本発光量としてステップＳ３１０にて本発光を行い、ステップＳ３１１で調光センサ１０６にてストロボからの直接光を調光し、演算された適正発光量となったら発光を停止し、ステップＳ３１２の撮像処理へと移る。
【図面の簡単な説明】
【００２２】
【図１】実施例１における撮像装置のブロック図である。
【図２】実施例１における撮像装置の簡略図である。
【図３】実施例１のフラッシュ処理を示すフローチャートである。
【図４】実施例１の本発光量算出の仕組みを示す図である。
【符号の説明】
【００２３】
１０１  撮像部
１０２  撮像素子（ＣＣＤ）
１０３  Ａ／Ｄ変換部
１０４  ＡＥ処理部
１０５  フラッシュ部
１０６  調光センサ
１０７  画像処理部
１０８  フォーマット変換部
１０９  画像記録部
【図１】
2006098662.tif 000005
【図３】
2006098662.tif 000006
【図４】
2006098662.tif 000007
【図２】
2006098662.tif 000008